(57)【要約】【課題】前面パネルの開口部と投射レンズ鏡体筒の外周面との間に生じる隙間を遮光して後部光源からの光漏れを塞ぐようにしたプロジェクターの遮光装置を提供する。【解決手段】プロジェクター１０の筐体１１前面パネル１２開口部１２ａに、先端部１４ａが露出可能に装着された投射レンズ鏡体筒１４を有し、且つ前記投射レンズ鏡体筒１４を上下，左右にフォーカス操作によるシフト移動を可能にしたプロジェクターにおいて、前記開口部１２ａと前記鏡体筒１４外周面１４ｂとの間に生じる隙間Ａを遮光する弾性変形可能な遮光板１７を前記投射レンズ鏡体筒１４外周面１４ａに設けた構成とし、且つ前記遮光板１７を、弾性を有する熱可塑性樹脂材料で上下方向の伸縮を可能にする蛇腹状の伸縮部１９を形成すると共に、取付穴１８近傍及び上，下伸縮部１９ａ，１９ｂを除く裏面には硬度の高い熱可塑性樹脂材料により突設部２０ｂを有する補強枠部２０ａ及び補強片２１ａ，２１ｂを二色成形により一体形成した。【選択図】図３
2005115248.tif 000002
【特許請求の範囲】
【請求項１】
プロジェクター本体の前面パネルに形成した開口部に、先端部が露出可能に装着された投射レンズ鏡体筒を有し、且つ前記投射レンズ鏡体筒を上下，左右にフォーカス操作を可能にしたプロジェクターにおいて、
前記開口部と前記鏡体筒外周面との間に生じる隙間を遮光する弾性変形可能な遮光板を前記投射レンズ鏡体筒外周面に配設したことを特徴とするプロジェクターの遮光装置。
【請求項２】
前記遮光板は、全体がほぼ円形状の薄板からなり中央部に前記投射レンズ鏡体筒外周に隙間なく嵌合する取付穴を有すると共に、取付穴外周平面部には上下方向の伸縮を可能にする蛇腹状伸縮部を設けてあることを特徴とする請求項１記載のプロジェクターの遮光装置。
【請求項３】
前記遮光板は、弾性を有する熱可塑性樹脂材料で形成すると共に、前記取付穴近傍及び上方及び下方の伸縮部を除く裏面には硬度の高い熱可塑性樹脂材料により補強枠部を設けたことを特徴とするプロジェクターの遮光装置。
【請求項４】
前記補強枠部の左右には中心方向に向けて前記投射レンズ鏡体筒に近接した一対の突設部を設けてあることを特徴とする請求項３記載のプロジェクターの遮光装置。
【請求項５】
前記遮光板は、円形状の上，下外周部にそれぞれ延出された一対の上下伸縮部を設け、各上下伸縮部の裏面端部にはそれぞれ前記補強枠部と同質の熱可塑性樹脂材料により形成した硬度の高い補強片を設けたことを特徴とする請求項１記載のプロジェクターの遮光装置。
【請求項６】
前記遮光板は、弾性を有する熱可塑性樹脂材料と硬度の高い熱可塑性樹脂材料との二色成形で一体形成したことを特徴とする請求項１記載のプロジェクターの遮光装置。
【発明の詳細な説明】
【技術分野】
【０００１】
本発明は、業務用或いは家庭用に使用されるプロジェクターの遮光装置に係り、特に、投射レンズ鏡体筒を上下，左右にフォーカス操作による移動を可能にしたプロジェクターにおいて、前面パネルの開口部と前記鏡体筒外周面との間に生じる隙間を遮光して後部光源からの光漏れを塞ぐようにしたプロジェクターの遮光装置に関する。
【背景技術】
【０００２】
従来、電気製品の筐体に形成した排気口より筐体外に光源からの光が漏れないようにした遮光装置として、特開２００２−３４１４４６号公報に開示されたものがある。
また、図７〜図９に示すような、従来の液晶プロジェクター１において、投射レンズ鏡体筒２を上下，左右にフォーカス操作による移動を可能にしたものにおいて、前記プロジェクター１のカバー前面３に設けられた投射レンズ収納鏡体筒２のフォーカス用の開口部４と前記鏡体筒外周面２ａとの間に生じる隙間Ａを遮光して後部光源５からの光漏れを塞ぐために前記鏡体筒２の外周面２ａに樹脂材料からなる円板状の遮光板６を配設したものがある。
【特許文献１】特開２００２−１４９１９２号公報
【特許文献２】特開２００２−２１４７０８号公報
【発明の開示】
【発明が解決しようとする課題】
【０００３】
しかるに、現在市販されているポータブルタイプの液晶プロジェクターにあっては、投射レンズ鏡体筒２を上下，左右にフォーカス操作させてシフトする構成であるため、投射レンズ鏡体筒２の開口部４と前記鏡体筒２外周面２ａとの間に生じる隙間Ａを遮光して後部光源５からの光漏れを塞ぐために、前記鏡体筒２の外周面２ａに取り付けられる円板状の遮光板６は、遮光部の外周径を大きく形成して遮光する必要がある。
【０００４】
従来市販されているポータブルタイプの液晶プロジェクターにおいては、投射レンズ鏡体筒２のフォーカス操作に伴う上下，左右方向の移動量が、例えば５ｍｍ程度であるため、移動による遮光板６からの光漏れは遮光できるようになっているが、光漏れを防ぐために、プロジェクターの筐体、特に前面パネルの開口部４における上下方向の高さを高く形成し、遮光板６の移動を考慮した収納スペース７が必要となり、プロジェクターの小型化及び外観形状のデザイン改良の隘路となっている。
【０００５】
また、現在市販されているポータブルタイプの液晶プロジェクターにおいては、筐体の高さ方向寸法を小さくし、且つ投射レンズ鏡体筒２の上下，左右にフォーカス操作させて移動する移動量を、例えば５ｍｍから１０ｍｍに大きくして液晶プロジェクターを設置した後は、プロジェクター筐体の向きを移動させることなく、投射レンズ鏡体筒２の上下，左右にフォーカス操作の移動量を大きくして対処し、且つ小型化が要望される現状にある。
【０００６】
また、従来の遮光板６は、一枚の塩化ビニール樹脂などの弾性を有する材料で形成されており、その取付けにおいては、遮光板６の外周部が固定されているため、フォーカス操作における移動時には、遮光板６全体が前記投射レンズ鏡体筒２に確実に追随することなく、移動側と反対側の遮光板６の取付穴８と前記鏡体筒２の外周面２ａとの間に隙間Ｂを生じさせ、光源５からの光が漏れるという問題点がある。
【０００７】
本発明は、前記事情に鑑みてなされたもので、プロジェクターの前面パネルに形成される開口部と前記鏡体筒外周面との間に生じる隙間を遮光する弾性変形可能な遮光板を前記投射レンズ鏡体筒外周に設けた構成とすることで、投射レンズ鏡体筒のフォーカス操作によるシフトの移動量が大きい場合にあっても、投射レンズ収納鏡体筒の開口部と前記鏡体筒外周面との間に生じる隙間を確実に遮光して後部光源からの光漏れを塞ぐことができ、且つ前記鏡体筒の上下方向の大きな移動に対しても前面パネルの高さを背高にすることなく、鏡体筒に追随して完全に遮光が可能なポータブルタイプのプロジェクターに適応させたプロジェクターの遮光装置を提供することを目的とする。
【課題を解決するための手段】
【０００８】
請求項１の発明は、プロジェクター本体の前面パネルの開口部に、先端部が露出可能に装着された投射レンズ鏡体筒を有し、且つ前記投射レンズ鏡体筒を上下，左右にフォーカス操作による移動を可能にしたプロジェクターにおいて、前記開口部と前記鏡体筒外周面との間に生じる隙間を遮光する弾性変形可能な遮光板を前記投射レンズ鏡体筒外周面に設けたことを特徴とする。
【０００９】
請求項２の発明は、前記請求項１記載のプロジェクターの遮光装置において、
前記遮光板は、全体がほぼ円形状の薄板からなり中央部に前記投射レンズ鏡体筒外周に隙間なく嵌合する取付穴を有すると共に、取付穴外周平面部には上下方向の伸縮を可能にする蛇腹状伸縮部を設けてあることを特徴とする。
【００１０】
請求項３の発明は、請求項１記載のプロジェクターの遮光装置において、前記遮光板は、弾性を有する熱可塑性樹脂材料で形成すると共に、前記取付穴近傍及び上方及び下方の伸縮部を除く裏面には硬度の高い熱可塑性樹脂材料により補強枠部を一体形成したことを特徴とする。
【００１１】
請求項４の発明は、請求項３に記載のプロジェクターの遮光装置において、前記補強枠部の左右には中心方向に向けて前記投射レンズ鏡体筒に近接した一対の突設部を設けてあることを特徴とする。
【００１２】
請求項５の発明は、請求項１記載のプロジェクターの遮光装置において、前記遮光板は、円形状の薄板の上，下外周部にそれぞれ延出された上，下伸縮部を設け、各伸縮部の裏面端部にはそれぞれ前記補強枠部と同質の熱可塑性樹脂材料により形成した硬度の高い補強片を設けてあることを特徴とする。
【００１３】
請求項６の発明は、請求項１記載のプロジェクターの遮光装置において、前記遮光板は、弾性を有する熱可塑性樹脂材料と硬度の高い熱可塑性樹脂材料との二色成形で一体形成したことを特徴とする。
【発明の効果】
【００１４】
以上のように構成された本発明によれば、前記投射レンズ鏡体筒外周面に取り付けた遮光板を、弾性を有する伸縮可能な材質で構成し、投射レンズ鏡体筒のフォーカス操作によるシフトの移動量が大きい場合にあっても、弾性変形及び伸縮構成によって前記鏡体筒に追随して投射レンズ収納鏡体筒の開口部と前記鏡体筒外周面との間に生じる隙間を完全に遮光して後部光源からの光漏れを塞ぐことができる効果がある。
【００１５】
また、遮光板を伸縮可能な構成としたので、投射レンズ収納鏡体筒の開口部と前記鏡体筒外周面との間に生じる隙間を大きくし、かつ前記フォーカス操作によるシフトの移動量が大きいポータブルタイプのプロジェクターに適用させた場合にあっても、前面パネルの高さを遮光板の上下方向の高さにあわせて特に高くする必要もなく、前記鏡体筒の移動量に合わせて完全に遮光が可能なプロジェクターの遮光装置を提供できる効果がある。
【発明を実施するための最良の形態】
【００１６】
以下、本発明のプロジェクターの遮光装置における実施形態について、ホームシアター用の液晶プロジェクターに適用したものについて説明する。
【実施例１】
【００１７】
図１は、本発明のプロジェクターの遮光装置の一実施例を示すもので、ホームシアター用の液晶プロジェクターに適用した状態の全体外観図で、図２（ａ），（ｂ）は本発明の遮光装置における遮光板を投射レンズ鏡体筒の外周面に配設した状態を示す正面側及び背面側から見た要部斜視図、図３は同じく遮光板を配設した投射レンズ鏡体筒を前面パネルの開口部に設置する状態の概略斜視図、図４は同じく図３の要部縦断面図、図５の（ａ），（ｂ）は本発明のプロジェクターの遮光装置に使用された遮光板の正面側及び背面側から見た斜視図、図６の（ａ）〜（ｃ）は、本発明のプロジェクターの遮光装置に使用された遮光板の正面図，背面図及び中央縦断面図である。
【００１８】
図１において、１０はホームシアター用の液晶プロジェクターで、扁平な矩形形状に形成された筐体１１の前面パネ１２の右側の片寄った位置に、内部に投射レンズ１３を有する投射レンズ収納鏡体筒１４の先端部１４ａが露出される開口部１２ａが形成されており、前記開口部１２ａ近傍には前記投射レンズ鏡体筒１４を上，下及び左，右にフォーカス操作するコントロールスイッチ１５ａ，１５ｂが設けられ、前記投射レンズ鏡体筒１４を上下，左右にフォーカス操作してシフトを可能にしている。
【００１９】
また、本発明の液晶プロジェクター１０は、従来品と同様に、前記液晶プロジェクター１０の筐体１１内部には、図示しないが、回路基板に配設された制御回路により制御される光源ランプ、ＣＰＵの指令により映像を処理する映像処理回路により動作される液晶パネル等が収容され、前記光源ランプからの出射された光束を液晶パネルにより光学的に変調した後、前記投射レンズ収納鏡体筒１４の投射レンズ１３にてスクリーンに拡大写しするようになっている。
【００２０】
本発明の特徴とするところは、図２〜図６に良く示されるように、前面パネル１２の開口部１２ａに、その先端部１４ａが露出可能に装着された投射レンズ鏡体筒１４を上下，左右にフォーカス操作をしたシフト状態において、前記開口部１２ａと前記鏡体筒１４の外周面１４ｂとの間に生じる隙間Ａから漏れる光を遮光する遮光板１７を前記鏡体筒１４の外周面１４ｂに取付けた点にある。
【００２１】
前記遮光板１７は、弾性を有するエラストマー系の熱可塑性樹脂材料によって、全体がほぼ円形状の薄板に形成され、中央部に前記投射レンズ鏡体筒１４の外周面１４ａに隙間なく嵌合する取付穴１８を有すると共に、取付穴１８外周平面部には上下方向の伸縮を可能にする平板を連続する波板の山谷に折り込んだ蛇腹状の伸縮部１９を設けたものである。
また、前記遮光板１７は、上，下外周部にそれぞれ延出された上，下伸縮部１９ａ，１９ｂが設けられた構成である。
【００２２】
さらに、前記取付穴１８近傍の背面には、硬度の高いポリカーボネート樹脂およびＡＢＳ樹脂を混合した熱可塑性樹脂材料により積層構造となる補強枠部２０ａが設けられると共に、補強枠部２０ａの左右方向の中心寄りには，前記鏡体筒１４の外周面１４ａに近接させた状態となる一対の突設部２０ｂが設けられている。また、上，下伸縮部１９ａ，１９ｂの背面端部には、補強枠部２０ａ，２０ｂと同質の熱可塑性樹脂材料により積層構造となる補強片２１ａ、２１ｂが二色成形により一体形成されたものである。
なお、前記遮光板１７の直径は、前記開口部１２ａの外周径より大きい外周径を有するものである。
【００２３】
そして、その組み付けにおいては、前記遮光板１７を円形状の上下外周より延設した一対の上，下伸縮部１９ａ，１９ｂが筐体１１に対し上下方向位置となるように、且つ補強枠部２０ａ及び補強片２１ａ、２１ｂが背面側となるように位置決めし、前記取付穴１８を用いて前記投射レンズ鏡体筒１４の外周面１４ａに隙間なく弾性嵌合すると共に、前記補強枠部２０ａに設けた突設ピン２０ｃと前記鏡体筒１４に取り付けた保持部材２２とネジ結合し、更に上，下補強片２１ａ、２１ｂを前面パネル１２の裏面上下に突設した取付部２３に係止支持することで組付けが完了する。  
【００２４】
以上のように構成された本発明のプロジェクターの遮光装置によれば、前記開口部１２ａにその先端部１４ａが露出可能に装着された投射レンズ鏡体筒１４の外周面１４ｂと、前記開口部１２ａとの間に生じる隙間Ａから漏れる後部光源からの光を、前記開口部１２ａ外周径より大きい外周径を有する前記遮光板１７によって遮光することができる。
【００２５】
また、前記投射レンズ鏡体筒１４をフォーカス操作による上下，左右の移動を行なった場合、左右方向の移動に対しては、遮光板１７の外周径が前記開口部１２ａより大きいため前記投射レンズ鏡体筒１４が左右方向の一方に片寄ってできる隙間は遮光が可能である。また、上下方向の移動においては、遮光板１７の上下に延設した上，下伸縮部１９ａ，１９ｂの一方が圧縮され、他方が伸張することで、上下方向のいずれかに生じる隙間に対してもそれぞれ対応した遮光機能を発揮し、後部光源から漏れる光を遮光することが可能となる。
【００２６】
また、本発明の遮光板１７の裏面には硬度の高い突設部２０ｂを有する補強枠部２０ａ及び補強片２１ａ、２１ｂを設けた構成としたので、フォーカス操作における移動には遮光板１７全体が前記投射レンズ鏡体筒１４に確実に追随し、従来のように弾性を有する材料で形成された遮光板の欠点である遮光板１７の取付穴１８と前記鏡体筒１４の外周面１５ｂとの間に隙間Ｂを生じさせることがない。
【産業上の利用可能性】
【００２７】
本発明による遮光板１７の構成によれば、プロジェクターの遮光装置に限定されず筐体等のカバー部に形成された開口を貫通して筐体内部に配設された部品の一部が筐体外に突出するようになっている電気機械器具において、前記部品の外周面に設置され、前記部品とカバー部開口との間に生じる隙間を遮光または遮蔽する必要のあるものに使用できることは勿論である。
【００２８】
また、車両用のシフトレバーのハウジングに組み付けて、ハウジングの開口穴とシフトレバー外周に生じる隙間を遮蔽してハウジング内に進入する塵埃等を遮断できるものとして利用が可能である。
【図面の簡単な説明】
【００２９】
【図１】本発明のプロジェクターの遮光装置の一実施例を示すもので、ホームシアター用の液晶プロジェクターに適用した状態の全体外観図、
【図２】（ａ），（ｂ）は本発明の遮光装置における遮光板を投射レンズ収納鏡体筒の外周面に配設した状態を示す正面側及び背面側より見た要部斜視図、
【図３】図３は同じく遮光板を配設した投射レンズ収納鏡体筒を前面パネルの開口部に設置する状態の概略斜視図、
【図４】図４は同じく図３の要部縦断面図、
【図５】（ａ），（ｂ）は本発明のプロジェクターの遮光装置に使用された遮光板の正面側及び背面側から見た斜視図、
【図６】（ａ）〜（ｃ）は、本発明のプロジェクターの遮光装置に使用された遮光板の正面図，背面図及び中央縦断面図、
【図７】従来のプロジェクターの遮光装置の概略外観図、
【図８】従来のプロジェクターの遮光装置に使用されている遮光板と鏡体筒との関係を示す概略側面図である。
【図９】従来のプロジェクターの遮光装置に使用されている遮光板と鏡体筒とのシフト時の関係を示す概略側面図である。
【符号の説明】
【００３０】
１０      液晶プロジェクター
１１      筐体
１２      前面パネル
１２ａ    開口部
１３      投射レンズ
１４      投射レンズ収容鏡体筒
１４ａ    先端部
１４ｂ    外周面
１５ａ，１５ｂ    コントロールスイッチ
１７      遮光板
１８      取付穴
１９      蛇腹状の伸縮部
１９ａ，１９ｂ    上，下伸縮部
２０ａ    補強枠部
２０ｂ    突設部
２１ａ，２１ｂ    補強片
２２      取付部
【図１】
2005115248.tif 000003
【図２】
2005115248.tif 000004
【図３】
2005115248.tif 000005
【図４】
2005115248.tif 000006
【図５】
2005115248.tif 000007
【図６】
2005115248.tif 000008
【図７】
2005115248.tif 000009
【図８】
2005115248.tif 000010
【図９】
2005115248.tif 000011